(57)【要約】【課題】  被施療者の足裏における土踏まず部の親指側と小指側のうち外側である小指側においても痛みを低減してマッサージを行うこと等により、施療効果を高めることができるマッサージ機を提供することを課題とする。【解決手段】  被施療者の足部を載置する足載置部１と、足載置部１に内包された動力源２１と、足載置部１の横幅方向における内側から外側に亘って配設され、動力源２１によって回転する回転軸２２と、回転軸２２に固設され回転軸２２と連動する回転施療部２３を備え、回転施療部２３において、回転軸２２に固設される本体部２３１と、本体部２３１の表面に突設され、回転軸２２方向に沿って所定の幅を有する第一突起部２３２と、本体部２３１の表面に突設され、第一突起部２３２よりも回転軸２２方向に沿って幅が広い第二突起部２３３を有するマッサージ機により解決することができた。【選択図】図１
2018094191.tif 000002
【特許請求の範囲】
【請求項１】
被施療者の足部を載置する足載置部と、
前記足載置部に内包された動力源と、
前記足載置部の横幅方向における内側から外側に亘って配設され、前記動力源によって回転する回転軸と、
前記回転軸に固設され前記回転軸と連動する回転施療部を備え、
前記回転施療部において、
前記回転軸に固設される本体部と、
前記本体部の表面に突設され、前記回転軸方向に沿って所定の幅を有する第一突起部と、
前記本体部の表面に突設され、前記第一突起部よりも前記回転軸方向に沿って幅が広い第二突起部を有する
ことを特徴とするマッサージ機。
【請求項２】
前記本体部における前記回転軸に垂直な面上に、前記第一突起部及び前記第二突起部が位置していることを特徴とする請求項１に記載のマッサージ機。
【請求項３】
前記第二突起部が、前記回転軸に対して前記第一突起部の反対側に位置することを特徴とする請求項１又は請求項２に記載のマッサージ機。
【請求項４】
前記回転軸の中心から前記第一突起部の頂部までの高さが前記回転軸の中心から前記第二突起部の頂部までの高さよりも高いことを特徴とする請求項１から請求項３のいずれか一つに記載のマッサージ機。
【請求項５】
前記第二突起部の頂部が、前記足載置部の横幅方向における内側から外側に低くなるよう傾斜していることを特徴とする請求項４に記載のマッサージ機。
【発明の詳細な説明】
【技術分野】
【０００１】
本発明は、被施療者の足部、とりわけ足裏を施療するマッサージ機に関するものである。
【背景技術】
【０００２】
従来、マッサージ機において、人体の足裏をマッサージするために、電力により回転駆動し、その回転体の表面に複数の突起物が設けられたものが広く知られている。
【０００３】
例えば、特許文献１には、モータにより回転する回転軸と、その回転軸に挿通されたマッサージローラを備え、そのマッサージローラの表面には所定の間隔で配置された同じ大きさの小突起が複数設けられており、その小突起にて被施療者の足裏を押圧してマッサージするマッサージ機が開示されている。
【先行技術文献】
【特許文献】
【０００４】
【特許文献１】特開２０１５−７３８０４号
【発明の概要】
【発明が解決しようとする課題】
【０００５】
しかしながら、特許文献１のマッサージ機では、マッサージローラの表面に配置された複数の小突起は、いずれも同様の大きさであるために、被施療者の足裏に対して点で接触し押圧するか押圧しないかの単調なマッサージとなり、十分なマッサージ効果が得られず、また、足裏における土踏まず部の親指側と小指側で外側に当たる小指側での肉厚が薄くなっており、特に細い棒状の突起では痛みを感じる人も多いという課題があった。
【０００６】
そこで、本発明は、上記の問題点に鑑みて発明されたものであり、被施療者の足裏に対して押圧するときに強弱をつけ複雑な施療を行い、被施療者の足裏に多様なマッサージを行い、そして、足裏における土踏まず部の親指側と小指側のうち外側である小指側においても痛みを低減してマッサージを行うことにより、施療効果を高めることができるマッサージ機を提供することを課題とする。
【課題を解決するための手段】
【０００７】
〔１〕すなわち、本発明は、被施療者の足部を載置する足載置部と、前記足載置部に内包された動力源と、前記足載置部の横幅方向における内側から外側に亘って配設され、前記動力源によって回転する回転軸と、前記回転軸に固設され前記回転軸と連動する回転施療部を備え、前記回転施療部において、前記回転軸に固設される本体部と、前記本体部の表面に突設され、前記回転軸方向に沿って所定の幅を有する第一突起部と、前記本体部の表面に突設され、前記第一突起部よりも前記回転軸方向に沿って幅が広い第二突起部を有することを特徴とするマッサージ機である。
【０００８】
〔２〕そして、前記本体部における前記回転軸に垂直な面上に、前記第一突起部及び前記第二突起部が位置していることを特徴とする前記〔１〕に記載のマッサージ機である。
【０００９】
〔３〕そして、前記第二突起部が、前記回転軸に対して前記第一突起部の反対側に位置することを特徴とする前記〔１〕又は前記〔２〕に記載のマッサージ機である。
【００１０】
〔４〕そして、前記回転軸の中心から前記第一突起部の頂部までの高さが前記回転軸の中心から前記第二突起部の頂部までの高さよりも高いことを特徴とする前記〔１〕から前記〔３〕のいずれか一つに記載のマッサージ機である。
【００１１】
〔５〕そして、前記第二突起部の頂部が、前記足載置部の横幅方向における内側から外側に低くなるよう傾斜していることを特徴とする前記〔４〕に記載のマッサージ機である。
【発明の効果】
【００１２】
本発明のマッサージ機によれば、被施療者の足裏に対して押圧するときに強弱をつけ複雑な施療を行い、被施療者の足裏に多様なマッサージを行うことができる。
【図面の簡単な説明】
【００１３】
【図１】本件発明のマッサージ機の一実施形態を示す全体斜視図である。
【図２】本件発明のマッサージ機の足載置部の一部などを取り除いた状態の一実施形態を示す全体斜視図である。
【図３】本件発明のマッサージ機の一実施形態における回転施療部などを示す斜視図である。
【図４】本件発明のマッサージ機の一実施形態における回転施療部を示す斜視図である。
【図５】本件発明のマッサージ機の一実施形態における回転施療部を示す斜視図である。
【図６】本件発明のマッサージ機の一実施形態における回転施療部を示す平面図である。
【発明を実施するための形態】
【００１４】
以下、本発明のマッサージ機を、図面に示す一実施形態に基づいてこれを詳細に説明する。図１は本件発明のマッサージ機の一実施形態を示す全体斜視図である。そして、図２は、本件発明のマッサージ機の足載置部の一部などを取り除いた状態の一実施形態を示す全体斜視図である。図３は、本件発明のマッサージ機の一実施形態に組み込まれている回転施療部などを示す斜視図である。図４及び図５は、本件発明のマッサージ機の一実施形態における回転施療部を示す斜視図である。図６は、本件発明のマッサージ機の一実施形態における回転施療部を示す平面図である。本実施形態において、被施療者の脚部や足部をマッサージするマッサージ機として説明するが、被施療者の背や腕などを施療する椅子式マッサージ機の一部として組み込んで被施療者の脚部や足部を施療することもできる。なお、説明中で用いられる上下方向は、図１、図２における上下方向であり、同様に前後方向については、図１、図２における紙面手前側が前方向であり紙面奥側が後方向であり、そして、同様に左右方向については、図１、図２における右方向が左方向であり、図１、図２における左方向が右方向である。これらの方向は、被施療者が下肢を本発明のマッサージ機に載置したときの視点と同じである。
【００１５】
マッサージ機は、図１、図２などに示すように、被施療者の足部を載せる足載置部１、被施療者の脚部を支持するために足載置部１の上方に脚支持部３などを有しており、被施療者の左右の下肢を脚支持部３で支持するために、脚支持部３において前方から後方に窪むように溝が形成されている。そして、足載置部１には、図２に示すように、被施療者の足部の裏側を施療する図３に図示された足裏施療部２が組み込まれている。なお、図１などではマッサージ機の内部の構造が露わになっているが、マッサージ機を構成する各種部材は、皮革、布などの薄く柔らかい部材により覆われており、被施療者が実際に使用するときなどにおいて直接的に内部の構図を視認することはできない。
【００１６】
また、マッサージ機が椅子式マッサージ機の一部として組み込まれるときには、座部の下方に設けられ、座部に対して回動可能としたり、座部に対する所定の角度で停止可能としたり、停止した所定の位置で施療者の脚部の長手方向に沿って伸縮機構により伸縮可能とすることもできる。
【００１７】
足載置部１は、被施療者の足部を載置する部材であり、脚支持部３の下方に設けられる。被施療者の左右の足部を足載置部１で載置するために、足載置部１において上方から下方に向かって窪むように溝が形成されている。この溝により、被施療者が左右の足部をそれぞれの足載置部１に載置したときに、施施療者の足部が、被施療者の足裏が当接する底壁１ａ、被施療者の足部の外側と対向する外壁１ｂ、被施療者の足部の内側と対向する中間壁１ｃとにより囲まれる。
【００１８】
足裏施療部２は、図２に示すように、足載置部１に組み込まれており、被施療者の足裏を施療する部材である。足裏施療部２は、図３に示すように、足施療部２を駆動するための動力源２１、動力源２１により回転する回転軸２２、回転軸２２に固設された回転施療部２３などから構成されている。足裏施療部２は、図示しない操作表示パネルやスイッチなどを用いて被施療者が選択して、図示しない制御装置等を介して作動するように設けられることが好ましい。また、足裏施療部２や操作表示パネルは、屋内のコンセントなど外部電源から供給される電力により作動することが好ましい。そして、制御装置に内蔵された種々のプログラムによって、足裏への施療の仕方、施療時間などを調整可能とすることができる。
【００１９】
動力源２１は、図２、図３に示すように、足載置部１の前方に内包されている電気モータや電動機である。動力源２１は、電気エネルギーを力学的エネルギーに変換し、外部電源等から供給される電力により電磁相互作用などを用いて動力源２１に内設されている軸を回転させることができる。また、動力源２１は、一方向の回転だけでなくその反対方向の回転も行えるように、制御装置等によってシーケンス制御されることが好ましい。
【００２０】
回転軸２２は、足載置部１の左右の横幅方向における内側から外側に亘って配設され、動力源２１に内設される軸とかさ歯車などを介して連動し回転可能である部材である。回転軸２２は、被施療者の足裏の下方に位置して足載置部１の中間壁１ｃから外壁１ｂに亘って設けられ、細長い円柱形状を有している。そして、回転軸２２は、所定の場所で回転するだけで、足載置部１の前後方向に移動しないようにすることが好ましい。また、動力源２１の正回転、逆回転により、回転軸２２の回転方向を前方から後方に回転させたり、後方から前方に回転させたりすることが可能となる。
【００２１】
回転施療部２３は、回転軸２２に固設される回転軸２２と連動して、被施療者の足裏を施療する部材である。回転施療部２３は、左右それぞれの回転軸２２の中央近傍に固設されており、回転軸２２に固設される本体部２３１と、本体部２３１の表面に突設され、回転軸２２方向に沿って所定の幅を有する第一突起部２３２と、本体部２３１の表面に突設され、第一突起部２３２よりも回転軸方向２２に沿って幅が広い第二突起部２３３などから形成される。
【００２２】
本体部２３１は、略円筒形状をしており、回転軸２２に対して、接着、嵌合、係止、螺子留めなどの方法により固設される。
【００２３】
第一突起部２３２及び第二突起部２３３は、ともに本体部２３１の外周表面に突設されて被施療者の足裏を押圧して施療する部材であるが、第一突起部２３２の左右方向の幅よりも第二突起部２３３の左右方向の幅の方が長く形成されている。このように、第一突起部２３２及び第二突起部２３３の横幅の長さが異なることにより、被施療者の足裏を押圧する面積が異なることとなり、施療される足裏への圧力が変わるために、足裏に多様な施療を行うことができる。
【００２４】
また、第一突起部２３２及び第二突起部２３３は、回転軸２２に垂直な面で切断したときの切断面が略Ｕ字状と略Ｖ字状の間のような本体部２３１から緩やかな曲面として立ち上がり、円弧状の第一突起頂部２３２Ｔ及び第二突起頂部２３３Ｔを経て、緩やかな曲面として本体部２３１に収束する形状を有している。このように、第一突起部２３２及び第二突起部２３３の表面の形状が、緩やかな曲面を描いていることにより、施療者の足裏を弱く押圧し始めて徐々に強く押圧して、第一突起頂部２３２Ｔ及び第二突起頂部２３３Ｔ近傍で最も強く押圧し、その後徐々に弱く押圧しながら最後は押圧しないという押圧する力加減に連続的な強弱をつけることができる。
【００２５】
そして、第一突起部２３２及び第二突起部２３３は、図３から図６に示すように、回転軸２２に垂直な所定の面上に配設されている。これは、回転軸２２に垂直な面で切断するときに第一突起部２３２及び第二突起部２３３を同時に切断する面が少なくとも一つは存在することを意味しており、第一突起部２３２及び第二突起部２３３の本体部２３１に対する位置関係を示している。第一突起部２３２及び第二突起部２３３をこのような位置関係となるように配設することにより、被施療者の足裏の同じような場所を施療しながらも、押圧する面積が小さい第一突起部２３２により相対的に強く押圧することができ、押圧する面積が大きい第二突起部２３３により相対的に弱く押圧することができ、施療者の足裏の横幅方向で異なる施療を行うことができる。
【００２６】
さらに、具体的には、第二突起部２３３が、回転軸２２に対して第一突起部２３２の反対側に位置している。すなわち、第一突起部２３２と第二突起部２３３は、回転軸２２を介して１８０度反対に位置している。これにより、一定のリズムで施療者の足裏を施療することができるようになる。なお、本実施形態では、第一突起部２３２及び第二突起部２３３が１つの本体部２３１に対してそれぞれ一つずつ突設されているが、他の実施形態において、第一突起部２３２及び第二突起部２３３をそれぞれ複数設けることもできる。
【００２７】
また、図３から図６に示すように、第一突起部２３２の横幅方向の中心が、第二突起部２３３の横幅方向の中心よりも、内側、すなわち、足裏施療部２の動力源２１側に近くなるように、第一突起部２３２及び第二突起部２３３が配設されている。第一突起部２３２及び第二突起部２３３をこのように位置に配設することにより、施療者の足裏の内側にある土踏まず側を押圧する面積が小さい第一突起部２３２により相対的に強く押圧することができ、施療者の足裏の外側を押圧する面積が大きい第二突起部２３３により相対的に弱く押圧することができ、施療者の足裏の横幅方向で足裏の起伏を踏まえて異なる施療を行うことができる。そして、このように第二突起部２３３を第一突起部２３２よりも扁平な形状とすることにより、肉が薄く痛みを感じやすい土踏まず部の親指側と小指側のうち外側である小指側においても痛みを低減してマッサージを行うことにより、施療効果を高めることができる。
【００２８】
そして、回転軸２２に固設された回転施療部２３を、第一突起部２３２及び第二突起部２３３を通るように回転軸２２に垂直な面で切断したときに、図６に示すように、回転軸２２の中心から第一突起部２３２の第一突起頂部２３２Ｔまでの高さが、回転軸２２の中心から第二突起部２３３の第二突起頂部２３３Ｔまでの高さよりも高く設けられている。このように、第一突起部２３２の第一突起頂部２３２Ｔの方の高さを高くすることにより、施療者の足裏を押圧するときに、第一突起部２３２の方がより強く押圧して施療することができるようになり、第二突起部２３３による施療とのメリハリをつけることができ、多様な施療を行うことができる。
【００２９】
このとき、回転軸２２の中心から第一突起部２３２の第一突起頂部２３２Ｔまでの高さは、回転軸２２の中心から第二突起部２３３の第二突起頂部２３３Ｔまでの高さよりも、１．０５〜１．３０倍高いことが好ましく、１．１０〜１．２０倍高いことがさらに好ましい。回転軸２２の中心から第一突起頂部２３２Ｔ及び第二突起頂部２３３Ｔまでの高さの関係がこの範囲にあると、第一突起部２３２及び第二突起部２３３による施療でメリハリをつけながら、第一突起部２３２による施療が相対的に強くなりすぎず、第二突起部２３３による施療が相対的に弱くなりすぎない適度な押圧の差を設けることができる。
【００３０】
そして、図６に示すように、第二突起部２３３の第二突起頂部２３３Ｔが、足載置部１の横幅方向における内側から外側に向かって低くなるよう緩やかに傾斜している。第二突起部２３３が足載置部１の横幅方向における内側から外側に向かって幅が広く設けられている上に第二突起部２３３の第二突起頂部２３３Ｔが傾斜するように設けられていることにより、足裏の土踏まずから外側まで肉厚が異なる部分に対して施療による痛みを緩和しながらも被施療者の足裏の傾斜に沿って足裏を同様な押圧力により施療することができる。
【００３１】
このとき、第二突起部２３３の第二突起頂部２３３Ｔが傾斜する角度としては、２〜１０度であることが好ましく、３〜７度がさらに好ましい。第二突起部２３３の第二突起頂部２３３Ｔがこの範囲の角度で傾斜していると、被施療者の足裏における土踏まず側から外側に向かう傾斜角度とほぼ同じとなるために、足裏をより同様な押圧力により施療することができる。
【００３２】
そして、図３に示すように、回転軸２２における足裏施療部２３の外側において、下方に湾曲した凹面を有する固定部２４が、固定部２４の一部を構成する円筒状の部材を介して回転軸２２に挿通されている。そして、固定部２４は、図２に示すように、複数のパイプ状の部材を組み合わされて足載置部１及び脚支持部３の骨格を構成する脚フレームＦの一部、すなわち、前後方向に伸びる足載置部１に組み込まれる骨格部分に対して、その湾曲した凹面が当接され、脚フレームＦに対して固定されている。固定部２４を設けることにより、回転軸２２まわりに回転施療部２３が回動したときに回転軸２２の上下方向及び前後方向に少し動くというブレを抑制するとともに、第一突起部２３２及び第二突起部２３３による施療者の足裏への押圧力を一定とすることができる。
【００３３】
脚支持部３は、足載置部１の上方に位置し、被施療者の左右の下肢を支持するために、脚支持部３において前方から後方に窪むように溝が形成されている。具体的には、被施療者のふくらはぎあたりと対向する背壁３ａ、被施療者の脚部の外側と対向する外壁３ｂ、被施療者の脚部の内側と対向する中間壁３ｃを備えている。脚支持部３の外壁３ｂは、足載置部１の外壁１ｂとおおよそ同一となる平面を形成し、支持部３の中間壁３ｃは、足載置部１の中間壁１ｃとおおよそ同一となる平面を形成して、被施療者の下肢を納めることができる。
【００３４】
足用膨縮袋４は、図示しない給排気装置から空気が供給されることにより膨張し、空気が排気されることにより収縮する袋状の部材であり、被施療者の足部に使用される部材である。図１及び図２に示すように、足用膨縮袋４は、脚支持部３の外壁３ｂ及び足載置部１の外壁１ｂの境界付近に一つ設けられ、そして、支持部３の中間壁３ｃ及び足載置部１の中間壁１ｃの境界付近にもう一つ設けられている。これらの足用膨縮袋４は、膨張したときに被施療者の足部の外側側面及び内側側面を押圧して施療し、収縮したときに被施療者の足部の外側側面及び内側側面を押圧せず施療を行わない。
【００３５】
脚用膨縮袋５は、図示しない給排気装置から空気が供給されることにより膨張し、空気が排気されることにより収縮する袋状の部材であり、被施療者の脚部に使用される部材である。図１及び図２に示すように、足用膨縮袋４は、脚支持部３の背部３ａに一つ、外壁３ｂ及び中間壁３ｃに二つずつ設けられている。これらの脚用膨縮袋５は、膨張したときに被施療者の脚部の裏側であるふくらはぎ側、外側側面、内側側面を押圧して施療し、収縮したときに被施療者の足部の外側側面及び内側側面を押圧せず施療を行わない。
【００３６】
足用膨縮袋４及び脚用膨縮袋５は、伸縮性を有し、空気の密封性に優れている高分子材料が使用されることが好ましく、ポリウレタン、６，６−ナイロン、６−ナイロン、ＡＢＳ、シリコーン樹脂を単独で又は２つ以上併用して使用されることがさらに好ましい。
【００３７】
次に、被施療者の足部への施療に関する一連の動作について説明する。
【００３８】
被施療者は、足部を足載置部１に載置して、図示しない操作表示パネルで足裏の施療を選択するか足裏の施療が組み込まれた施療コースを選択する。そして、図示しない制御装置等を介して動力源２１が作動し、動力源２１と連動して回転軸２２が回転する。
【００３９】
そして、回転軸２２に固設されている足裏施療部２も回転軸２２と共に回転し、足裏施療部２の本体部２３１に突設された第一突起部２３２が被施療者の足裏を押圧して、第一突起部２３２による施療が終わった後に、本体部２３１に突設された第二突起部２３３が被施療者の足裏を押圧して施療を行う。そして、第一突起部２３２による施療と第二突起部２３３による施療が交互に繰り返される。被施療者が操作表示パネルで施療を止める操作をしたり、制御装置により施療が自動的に終了したりすることで足裏への施療は終了する。
【００４０】
このように、被施療者の足裏への施療において、それぞれ形状が異なる第一突起部２３２及び第二突起部２３３により施療することにより、足裏への押圧する力が様々に変動し、多様で複雑な施療を行うことができる。
【符号の説明】
【００４１】
１・・・足載置部
１ａ・・・底壁
１ｂ・・・外壁
１ｃ・・・中間壁
２・・・足裏施療部
２１・・・動力源
２２・・・回転軸
２３・・・回転施療部
２３１・・・本体部
２３２・・・第一突起部
２３２Ｔ・・・第一突起頂部
２３３・・・第二突起部
２３３Ｔ・・・第二突起頂部
２４・・・固定部
３・・・脚支持部
３ａ・・・背壁
３ｂ・・・外壁
３ｃ・・・中間壁
４・・・足用膨縮袋
５・・・脚用膨縮袋
Ｆ・・・脚フレーム
【図１】
2018094191.tif 000003
【図２】
2018094191.tif 000004
【図３】
2018094191.tif 000005
【図４】
2018094191.tif 000006
【図５】
2018094191.tif 000007
【図６】
2018094191.tif 000008